【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
プレキャストオブジェクトを硬化させる方法であって、
ガスを収容することができるエンベロープ内にプレキャストオブジェクトを導入し、前記エンベロープは封止されているかまたは通気されており、
１次ガス循環ループを提供することであって、
前記エンベロープに、第１の状態でガスを導入し、
前記エンベロープ内のプレキャストオブジェクトの表面上に前記ガスを流してガスを第２の状態にし、
第２の状態で、ガスを第１のガスコンディショニングシステムに通して、ガスを第１の状態に戻し、
前記ガスを前記１次ガス循環ループに再循環させることを含み、
１以上の２次ガス循環ループを提供することであって、該２次ガス循環ループは、
前記エンベロープ内のガスを第３の状態で取り出し、
それを第２のガスコンディショニングシステムに通して第４の状態に調整し、
第４の状態に調整した後の前記ガスをプレキャストオブジェクトの少なくとも別の表面にわたって流すことを含み、
硬化プレキャストオブジェクトを生成するのに十分な時間、プレキャストオブジェクトを硬化させる、方法。
【請求項２】
前記プレキャストオブジェクトは炭酸化可能なケイ酸カルシウム系セメントで作られ、前記ガスは二酸化炭素である、請求項１の方法。
【請求項３】
前記２次ガス循環ループの少なくとも１つの前記第２のガスコンディショニングシステムは、前記エンベロープ内に位置される、請求項１または２の方法。
【請求項４】
複数の２次ガス循環ループを提供することを含む、請求項１から３のいずれかの方法。
【請求項５】
前記第２のガスコンディショニングシステムと前記第１のガスコンディショニングシステムとは同じシステムである、請求項１から４のいずれかの方法。
【請求項６】
前記第２のガスコンディショニングシステムと前記第１のガスコンディショニングシステムとは異なるシステムである、請求項１から４のいずれかの方法。
【請求項７】
前記プレキャストオブジェクトの前記表面および別の表面をガスが通過することは、前記プレキャストオブジェクト内の空隙をガスが通過することを含む、請求項１から６のいずれかの方法。
【請求項８】
前記第２のガスコンディショニングシステムは、ガスの温度を上昇させる少なくとも１つの加熱ユニットを備える、請求項１から７のいずれかの方法。
【請求項９】
前記第２のガスコンディショニングシステムは、ガスの温度を上昇させる複数の加熱ユニットを備える、請求項８の方法。
【請求項１０】
前記２次ガス循環ループは、ガスのフローを増加させる少なくとも１つのファンを備える、請求項１から９のいずれかの方法。
【請求項１１】
前記第２のガスコンディショニングシステムは、ガスから湿気を除去して相対湿度を低下させるための除湿ユニットを備える、請求項１から１０のいずれかの方法。
【請求項１２】
前記除湿ユニットは、冷却器、乾燥剤、湿気除去を可能にする膜、またはこれらの２つ以上の組み合わせを備える、請求項１１の方法。
【請求項１３】
ガスの前記第４の状態は、ガスの前記第１の状態と実質的に同じである、請求項１から１２のいずれかの方法。
【請求項１４】
ガスの前記第３の状態は、ガスの前記第２の状態と実質的に同じである、請求項１から１２のいずれかの方法。
【請求項１５】
ガスの前記第４の状態は、ガスの前記第１の状態と実質的に異なる、請求項１から１２のいずれかの方法。
【請求項１６】
ガスの前記第３の状態は、ガスの前記第２の状態と実質的に異なる、請求項１から１２のいずれかの方法。
【請求項１７】
前記第２のガスコンディショニングシステムを通過した後の前記第４の状態のガスが、前記プレキャストオブジェクトの別の表面の上を流れ、前記プレキャストオブジェクトの別の表面は、前記第２のガスコンディショニングシステムを通過するための前記エンベロープ内から得られるポイントに隣り合っている、請求項１から１６のいずれかの方法。
【請求項１８】
前記第２のガスコンディショニングシステムを通過した後の前記第４の状態のガスが、前記プレキャストオブジェクトの別の表面の上を流れ、前記プレキャストオブジェクトの別の表面は、前記第２のガスコンディショニングシステムを通過するための前記エンベロープ内から得られるポイントから離れている、請求項１から１６のいずれかの方法。
【請求項１９】
前記プレキャストオブジェクトは、舗装材、ブロック、屋根タイル、および枕木からなる群から選択される複数のオブジェクトである、請求項１から１８のいずれかの方法。
【請求項２０】
前記プレキャストオブジェクトは、その長手に沿って走る複数のチャネルを備える中空コアスラブである、請求項１から１８のいずれかの方法。
【請求項２１】
前記第１の状態は、ガスの温度により特徴づけられ、該ガスの温度は約２０℃から約９９℃の間であり、および／またはガスの相対湿度により特徴づけられ、該ガスの相対湿度は約０．１％から約９９％の間であり、および／またはガスの流量により特徴づけられ、該ガスの流量は約１ｋｇ／ｈｒ／ｍｔｏｎから約１００ｋｇ／ｈｒ／ｍｔｏｎの間で蒸発速度を促進し、
前記第２の状態は、ガスの温度により特徴づけられ、該ガスの温度は約２０℃から約９９℃の間であり、および／またはガスの相対湿度により特徴づけられ、該ガスの相対湿度は約０．１％から約９９％の間であり、および／またはガスの流量により特徴づけられ、該ガスの流量は約１ｋｇ／ｈｒ／ｍｔｏｎから約１００ｋｇ／ｈｒ／ｍｔｏｎの間で蒸発速度を促進し、
前記第３の状態は、ガスの温度により特徴づけられ、該ガスの温度は約２０℃から約９９℃の間であり、および／またはガスの相対湿度により特徴づけられ、該相対湿度は約０．１％から約９９％の間であり、および／またはガスの流量により特徴づけられ、該流量は約１ｋｇ／ｈｒ／ｍｔｏｎから約１００ｋｇ／ｈｒ／ｍｔｏｎの間で蒸発速度を促進し、
前記第４の状態は、ガスの温度により特徴づけられ、該ガスの温度は約２０℃から約９９℃の間であり、および／またはガスの相対湿度により特徴づけられ、該相対湿度は約０．１％から約９９％の間であり、および／またはガスの流量により特徴づけられ、該流量は約１ｋｇ／ｈｒ／ｍｔｏｎから約１００ｋｇ／ｈｒ／ｍｔｏｎの間で蒸発速度を促進する、請求項１から２０のいずれかの方法。
【請求項２２】
プレキャストオブジェクトを硬化させる方法であって、
ガスを収容することができるエンベロープ内にプレキャストオブジェクトを導入し、前記エンベロープは封止されているか又は通気されており、
１次ガス循環ループを提供することであって、
前記エンベロープに、第１の状態でガスを導入し、
前記エンベロープ内のプレキャストオブジェクトの表面上に前記ガスを流してガスを第２の状態にし、
ガスを第１の状態に戻すために第１のガスコンディショニングシステムを介して第２の状態で前記ガスを通過させ、
前記ガスを前記１次ガス循環ループに再循環させることを含み、
硬化プレキャストオブジェクトを生成するのに十分な時間、プレキャストオブジェクトを硬化させ、
前記第１のガスコンディショニングシステムは、
ガスの温度を上昇させるために加熱ユニットにわたって第１の流量でガスを流し、
相対湿度を低下させるために第２の流量で除湿ユニットを通ってガスを流すことを含む、方法。
【請求項２３】
前記プレキャストオブジェクトは炭酸化可能なケイ酸カルシウム系セメントで作られ、前記ガスは二酸化炭素である、請求項２２の方法。
【請求項２４】
前記プレキャストオブジェクトの前記表面をガスが通過することは、前記プレキャストオブジェクト内の空隙をガスが通過することを含む、請求項２２または２３の方法。
【請求項２５】
前記プレキャストオブジェクトは、舗装材、ブロック、屋根タイル、および枕木からなる群から選択される複数のオブジェクトを含む、請求項２２から２４のいずれかの方法。
【請求項２６】
前記プレキャストオブジェクトは、その長手に沿って走る複数のチャネルを備える中空コアスラブである、請求項２２から２４のいずれかの方法。
【請求項２７】
前記プレキャストオブジェクトにおける空隙は、前記中空コアスラブの長手に沿って走る複数のチャネルの少なくとも１つである、請求項２６の方法。
【請求項２８】
前記中空コアスラブが約４から約１０のチャネルを備える、請求項２７の方法。
【請求項２９】
ヒーターにわたる第１の速度でのガスのフローと除湿ユニットを通る第２の速度でのガスのフローは、並列してセットアップされている、請求項２２から２８のいずれかの方法。
【請求項３０】
前記１次ガス循環ループのフローの方向は、前記プレキャストオブジェクトの硬化中に方向を変化させる、請求項２２から２９のいずれかの方法。
【請求項３１】
前記第１の状態は、ガスの温度により特徴づけられ、該ガスの温度は約２０℃から約９９℃の間であり、および／またはガスの相対湿度により特徴づけられ、該ガスの相対湿度は約０．１％から約９９％の間であり、および／またはガスの流量により特徴づけられ、該ガスの流量は約１ｋｇ／ｈｒ／ｍｔｏｎから約１００ｋｇ／ｈｒ／ｍｔｏｎの間で蒸発速度を促進し、
前記第２の状態は、ガスの温度により特徴づけられ、該ガスの温度は約２０℃から約９９℃の間であり、および／またはガスの相対湿度により特徴づけられ、該ガスの相対湿度は約０．１％から約９９％の間であり、および／またはガスの流量により特徴づけられ、該ガスの流量は約１ｋｇ／ｈｒ／ｍｔｏｎから約１００ｋｇ／ｈｒ／ｍｔｏｎの間で蒸発速度を促進する、請求項２２から２９のいずれかの方法。
【請求項３２】
請求項１〜１９および２２から２５のいずれかの方法により産生された硬化プレキャストオブジェクト。
【請求項３３】
請求項１〜１８、２１、および２６〜３１のいずれかの方法により産生された硬化中空コアスラブ。
【請求項３４】
少なくとも約５０メートルの連続した長さを有する、請求項３３の硬化中空コアスラブ。
【請求項３５】
少なくとも約７５メートルの連続した長さを有する、請求項３４の硬化中空コアスラブ。
【請求項３６】
少なくとも約１００メートルの連続した長さを有する、請求項３５の硬化中空コアスラブ。
【請求項３７】
約３０ＭＰａより大きい圧縮強度により特徴づけられる、請求項３４から３６のいずれかの硬化中空コアスラブ。
【請求項３８】
プレキャストオブジェクトを硬化するための装置であって、
ガスを収容することができるエンベロープであって、該エンベロープが封止または通気可能に構成されるエンベロープと、
前記エンベロープに接続される１次ガス循環ループであって、第１の状態にガスを戻すために、第２の状態にガスをコンディショニングすることが可能な１以上の第１のガスコンディショニングシステムを含む１次ガス循環ループと、
１以上の２次ガス循環ループとを含み、該２次ガス循環ループは、第３の状態でのガスを第４の状態に調整するための１以上の第２のガスコンディショニングシステムを含む、装置。
【請求項３９】
前記２次ガス循環ループの少なくとも１つの前記第２のガスコンディショニングシステムは、前記エンベロープ内に位置される、請求項３８の装置。
【請求項４０】
複数の２次ガス循環ループを含む、請求項３８または３９の装置。
【請求項４１】
前記第２のガスコンディショニングシステムと前記第１のガスコンディショニングシステムとは同じシステムである、請求項３８から４０のいずれかの装置。
【請求項４２】
前記第２のガスコンディショニングシステムと前記第１のガスコンディショニングシステムとは異なるシステムである、請求項３８から４０のいずれかの装置。
【請求項４３】
前記第２のガスコンディショニングシステムは、少なくとも１つの加熱ユニットを備える、請求項３８から４２のいずれかの装置。
【請求項４４】
前記第２のガスコンディショニングシステムは、複数の加熱ユニットを備える、請求項４３の装置。
【請求項４５】
前記２次ガス循環ループは、少なくとも１つのファンを備える、請求項３８から４４のいずれかの装置。
【請求項４６】
前記第２のガスコンディショニングシステムは、除湿ユニットを備える、請求項３８から４５のいずれかの装置。
【請求項４７】
前記除湿ユニットは、冷却器、乾燥剤、湿気除去を可能にする膜、またはこれらの２つ以上の組み合わせを備える、請求項４６の装置。